(57)【要約】【課題】上下に隣接する分割パネルの相対移動を少ない組み立て作業数で効果的に規制することのできる分割パネルの接続構造を提供すること。【解決手段】少なくとも上下一方端に、裏面側に折曲された第１折片５１ｂと第１折片５１ｂから更に折曲されて上下方向に延びる第２折片５１ｃとを有した一方の分割パネル５３と、第２折片５１ｃと重合可能な突設片６１ｃを背面側に有した他方の分割パネル６３とを、接続装置７を用いて上下方向に接続する接続構造であって、接続装置７は、一方の分割パネル５３の第２折片５１ｃの内面に当接する内面当接部７６と、他方の分割パネル６３の裏面５２ａに当接する背面当接部７８と、が一体に形成されている。【選択図】図９
2015086666.tif 000002
【特許請求の範囲】
【請求項１】
少なくとも上下一方端に、裏面側に折曲された第１折片と該第１折片から更に折曲されて上下方向に延びる第２折片とを有した一方の分割パネルと、前記第２折片と重合可能な突設片を背面側に有した他方の分割パネルとを、接続装置を用いて上下方向に接続する接続構造であって、
前記接続装置は、前記一方の分割パネルの前記第２折片の内面に当接する内面当接部と、前記他方の分割パネルの裏面に当接する背面当接部と、が一体に形成されていることを特徴とするパネルの接続構造。
【請求項２】
前記一方の分割パネルは、表面部材と該表面部材の裏面側に固着された裏当て材とを備え、前記接続装置は、前記内面当接部の下方に前記裏当て材の上端面に載置される支持部を備えていることを特徴とする請求項１に記載のパネルの接続構造。
【請求項３】
前記一方の分割パネルは、表面部材と該表面部材の裏面側に固着された裏当て材とを備え、該裏当て材と、前記第１折片及び前記第２折片により構成される部分との間に、前記接続装置の挿入と回転を許容する空間が形成されていることを特徴とする請求項１または２に記載のパネルの接続構造。
【請求項４】
前記接続装置は、前記内面当接部から前記支持部に向けて傾斜して延びる傾斜部を一体に備えていることを特徴とする請求項２または３に記載のパネルの接続構造。
【発明の詳細な説明】
【技術分野】
【０００１】
本発明は、オフィスや大会場、会議室等を所定の区画に仕切る間仕切パネルやパーティションのパネルなどに使用される分割パネル同士の接続構造に関する。
【背景技術】
【０００２】
オフィスや会議室・病院等の室内空間を用途に合わせて区画して分割して使用する場合があり、このような態様で用いられる間仕切装置は、左右一対の支柱に取付けるパネルを、上下に連結した複数の分割パネルで構成することで、前記室内の天井高に応じてパネルの高さ寸法を調整できるようにしたものが一般的である。
【０００３】
このような間仕切装置の一例として、例えば、特許文献１のような間仕切装置がある。この間仕切装置は、分割パネルにおける上縁に裏面方向に直角に折り曲げられた第１折片と、さらにその先端が直角に下方向に折り曲げられた第２折片を有するとともに、分割パネルの下縁に裏面方向に直角に折り曲げられた第１折片と、さらにその先端が直角に下方向に折り曲げられた第２折片と有しており、上下の分割パネルを組み合せた際に、上下の第２折片同士が前後に重なり、分割パネルの前後方向への移動が一部規制されるようになっている。更に特許文献１の間仕切装置にあっては、下の分割パネルの上縁に、間隔保持部材を係合させ、この間隔保持部材と略同幅の補助部材を上方に突出するように間隔保持部材に跨嵌させる。このように、間隔保持部材による下の分割パネルの移動規制と、補助部材による上の分割パネルの移動規制と、前記した上下の第２折片同士の重なりとにより、上下の分割パネルを内側及び外側方向に相対的に移動規制できるようになっている。
【先行技術文献】
【特許文献】
【０００４】
【特許文献１】特許第５１１７１２４号公報（第５頁、第５図）
【発明の概要】
【発明が解決しようとする課題】
【０００５】
しかしながら、特許文献１の間仕切装置にあっては、上下に隣接する分割パネル同士の前後方向の相対移動を防止するために、下の分割パネルに対して取付けられる間隔保持部材と、間隔保持部材と略同幅である別体の補助部材を必要とし、結果的に部品点数が多くなることから、組み立て作業数が増え、作業が煩雑となるという問題があった。
【０００６】
本発明は、このような問題点に着目してなされたもので、上下に隣接する分割パネルの相対移動を少ない組み立て作業数で効果的に規制することのできる分割パネルの接続構造を提供することを目的とする。
【課題を解決するための手段】
【０００７】
前記課題を解決するために、本発明のパネルの接続構造は、
少なくとも上下一方端に裏面側に折曲された第１折片と該第１折片から更に折曲されて上下方向に延びる第２折片とを有した一方の分割パネルと、前記第２折片と重合可能な突設片を背面側に有した他方の分割パネルとを、接続装置を用いて上下方向に接続する接続構造であって、
前記接続装置は、前記一方の分割パネルの前記第２折片の内面に当接する内面当接部と、前記他方の分割パネルの裏面に当接する背面当接部と、が一体に形成されていることを特徴としている。
この特徴によれば、一方の分割パネルの第２折片と他方の分割パネルの突設片との重合による前後方向の移動規制作用と、接続装置における内面当接部と第２折片の内面との当接に加え、背面当接部と他方の分割パネルの裏面との当接により、上下に隣接する分割パネルの相対移動を効果的に規制することができる。この作業では内面当接部と背面当接部とが一体に形成されていることから、内面当接部の当接作業と背面当接部の当接作業が一連の作業で行えることになり、連結及び組立作業時に少ない作業数で、上下に隣接する分割パネルの相対移動を効果的に規制することができる。
【０００８】
前記一方側の分割パネルは、表面部材と該表面部材の裏面側に固着された裏当て材とを備え、前記接続装置は、前記内面当接部の下方に前記裏当て材の上端面に載置される支持部を備えていることを特徴としている。
この特徴によれば、連結及び組立作業時、支持部を裏当て材の上端面に載置させて接続装置を下方側の分割パネルに支持させることができるため、連結及び組立作業が容易となる。
【０００９】
前記一方の分割パネルは、表面部材と該表面部材の裏面側に固着された裏当て材とを備え、該裏当て材と、前記第１折片及び前記第２折片により構成される部分との間に、前記接続装置の挿入と回転を許容する空間が形成されていることを特徴としている。
この特徴によれば、接続装置組み立て時における接続装置の移動空間が小さくなり、連結及び組立作業における省スペース化が可能となる。
【００１０】
前記接続装置は、前記内面当接部から前記支持部に向けて傾斜して延びる傾斜部を一体に備えていることを特徴としている。
この特徴によれば、接続装置の回動領域をより小さくできる。
【図面の簡単な説明】
【００１１】
【図１】間仕切装置の構造を示す分解斜視図である。
【図２】（ａ）は、下部分割パネルを示す背面図であり、（ｂ）は、同じく側面図である。
【図３】（ａ）は、上部分割パネルを示す背面図であり、（ｂ）は、同じく側面図である。
【図４】（ａ）は、接続装置の形状を示す背面斜視図であり、（ｂ）は、同じく正面斜視図である。
【図５】接続装置を下部分割パネルに装着する過程を示す側断面図である。
【図６】接続装置を前後の下部分割パネルに装着した態様を示す斜視断面図である。
【図７】支柱に取付けた前後の下部分割パネルに接続装置を装着した状態を示す側断面図である。
【図８】図８の状態から前後の上部分割パネルを取付けた状態を示す側断面図である。
【図９】接続装置の使用態様の変形例を示す側断面図である。
【発明を実施するための形態】
【００１２】
本発明に係るパネルの接続構造を実施するための形態を実施例に基づいて以下に説明する。
【実施例】
【００１３】
実施例に係る間仕切装置につき、図１から図８を参照して説明する。図１に示される間仕切装置１は、室内空間を区画するものである。室内空間とは、例えば、オフィスや会議室・病院・総合スーパー・スポーツ店等の内部空間を指す。なお、間仕切装置１の幅方向を左右方向とし、間仕切装置１を貫通する方向を前後方向とし、また間仕切装置１が室内空間に面する側を表側とし、間仕切装置１の内側を裏側または背面側として説明する。
【００１４】
この間仕切装置１は、天井及び床面に固定された上下一対のレール２，３と、これらレール２，３に立設された左右一対の支柱４，４と、支柱４，４間の下部に配置される前後一対の下部分割パネル５３，５３’と、支柱４，４間の上部に配置される前後一対の上部分割パネル６３，６３’と、下部分割パネル５３，５３’及び上部分割パネル６３，６３’の間に配置される接続装置７，７’と、から主に構成されている。
【００１５】
支柱４，４は、それぞれの上下端部に固定金具８，８’を有し、当該固定金具８，８’によりレール２，３に対して固定される。また、支柱４は、前後一対の長孔４ａ，４ａ，…が上下に沿って複数形成されており、支柱４，４同士は、その長孔４ａ，４ａ，…が互いに対向するように配置されている。
【００１６】
前後一対の下部分割パネル５３，５３’は互いに対向した同一形状のパネルであるため、一方の下部分割パネル５３について説明する。図２に示されるように、下部分割パネル５３は、薄い鋼板等の材料から形成される表面部材５１と、表面部材５１の基部５１ａの裏面に固着される例えば石膏ボード等の裏当て材５２とからなる。表面部材５１の上下縁は、裏当て材５２よりも上下に張り出し、表面部材５１の上端の辺は、２回折り曲げられることにより、表面部材５１の基部５１ａから裏面側に向けて直交して延びる第１折片５１ｂと、第１折片５１ｂの端部から下方に向けて裏当て材５２の裏面５２ａと平行に延びる第２折片５１ｃとが形成されている。この裏当て材５２と、上記したように２回折り曲げられた部分、すなわち表面部材５１の上端の辺５１ｇ、第１折片５１ｂ及び第２折片５１ｃにより構成される部分との間に、後述するように接続装置７の挿入と回転を許容する空間５６が形成されている。
【００１７】
また、表面部材５１の両側辺も同様に、２回折り曲げられて裏面５２ａと平行に延びる支持片５１ｄ，５１ｄが形成されており、支持片５１ｄには、上下方向に沿って複数のスリット５１ｅ，５１ｅ，…が形成されている。尚、下部分割パネル５３，５３’は、同一構成であるため、下部分割パネル５３’の説明は省略する。
【００１８】
次に、前後一対の下部分割パネル５３，５３’の間、若しくは上部分割パネル６３，６３’の間に配設されるパネル止金具１０について説明する。図１の拡大部に示されるように、パネル止金具１０は、支柱４の前後一対の長孔４ａ，４ａに係合可能な係合突片１０ｂ，１０ｂと、下部分割パネル５３，５３’のスリット５１ｅ，５１ｅにそれぞれ挿入可能な係合突片１０ａ，１０ａを有している。
【００１９】
図３に示されるように、上部分割パネル６３の表面部材６１の上端の辺は、裏当て材６２よりも上に張り出して２回折り曲げられて、上記下部分割パネル５３の上縁と同様の形状となっている。上部分割パネル６３の表面部材６１の下端の辺は、表面部材６１の基部６１ａに対して裏面側に直角に延びる平坦片６１ｂと、平坦片６１ｂの端部から下方に向けて裏当て材６２の裏面６２ａと平行に延びる突設片６１ｃと、を有している。また、表面部材６１の両側辺も同様に、２回折り曲げられて裏当て材６２の裏面６２ａと平行に延びる支持片６１ｄ，６１ｄが形成されており、支持片６１ｄには、上下方向に沿って複数のスリット６１ｅ，６１ｅ，…が形成されている。尚、上部分割パネル６３，６３’は、同一構成であるため、上部分割パネル６３’の説明は省略する。
【００２０】
上述した下部分割パネル５３，５３’及び上部分割パネル６３，６３’は、前後一対の接続装置７，７’により上下に接続される。前後一対の接続装置７，７’は互いに対向した同一形状の装置であるため、一方の接続装置７について説明する。図４に示されるように、接続装置７は、１枚の金属製の板材を折り曲げて形成されている。詳しくは、接続装置７は、垂直に延びる背面部７１と、背面部７１から緩やかに湾曲して水平方向に延びる底面部７２と、底面部７２から垂直に立設する立設部７３と、背面部７１から遠ざかるように立設部７３から延設される支持部７４と、支持部７４の端部から背面部７１に向けて傾斜して延びる傾斜部７５と、傾斜部７５から立設する内面当接部７６と、背面部７１の上端から底面部７２と同一方向に延びる上端部７７と、上端部７７の先端部から垂下する背面当接部７８と、を備えている。また、背面部７１には、大孔７１ａと、大孔７１ａよりも小径の小孔７１ｂとが形成されている。
【００２１】
この接続装置７，７’は、下部分割パネル５３，５３’にそれぞれ装着されるようになっている。接続装置７を下部分割パネル５３に装着する際には、図５（ａ）に示されるように、先ず、表面部材５１の第２折片５１ｃと裏当て材５２との隙間５６ａに対して、接続装置７を倒した状態で内面当接部７６の先端から挿入し、支持部７４と傾斜部７５とで構成される略∨字状部の間に第２折片５１ｃが位置するように接続装置７を配置する。そして、この状態を保ったまま接続装置７を上方に引き上げ、且つ裏面側に向けて回転させる。続いて、図５（ｂ）に示されるように、接続装置７を更に回転させることにより、接続装置７が下部分割パネル５３に装着される。
【００２２】
こうして下部分割パネル５３に装着された接続装置７は、支持部７４が裏当て材５２の上端面５２ｂに載置されて、接続装置７の落下が防止される。また、内面当接部７６が第２折片５１ｃの内面５１ｆに当接するとともに、立設部７３が裏当て材５２の裏面５２ａに当接し、接続装置７の前後移動が確実に規制される。
【００２３】
間仕切装置１の組み立て手順について説明する。先ず、固定金具８，８’によりレール２，３に対して支柱４，４を固定し、支柱４，４の長孔４ａ，４ａ，…に複数のパネル止金具１０，１０，…それぞれの係合突片１０ｂ，１０ｂを用いて取付ける。次に、複数のパネル止金具１０，１０，…それぞれの係合突片１０ａ，１０ａに下部分割パネル５３，５３’の支持片５１ｄ，５１ｄのスリット５１ｅ，５１ｅ，…を係合させ、下部分割パネル５３，５３’を支柱４，４に支持させる。
【００２４】
次に、上記した態様で下部分割パネル５３，５３’にそれぞれ接続装置７，７’を取付ける（図６参照）。下部分割パネル５３，５３’にそれぞれ接続装置７，７’を取付ける際には、図６に示されるように、接続装置７，７’を左右方向にずらした位置で下部分割パネル５３，５３’にそれぞれ取付けた後、互いに若しくは一方の接続装置７を左右にスライドさせて背面部７１，７１’同士を重ね合わせる。
【００２５】
図７に示されるように、背面部７１，７１’同士が重ね合わせられた状態で、連結ネジ９を一方の接続装置７の大孔７１ａ側から挿通させ、裏側に位置する連通した他方の接続装置７’の小孔７１ｂに連結ネジ９の先端側をねじ込み、接続装置７，７’同士を連結する。
【００２６】
次いで、図８に示されるように、上部分割パネル６３，６３’の連結について説明する。上部分割パネル６３，６３’の各突設片６１ｃ，６１ｃ’を下部分割パネル５３の第２折片５１ｃの裏面に当接させるように挿入するとともに、支柱４，４に取付けられた複数のパネル止金具１０，１０，…の係合突片１０ａ，１０ａに支持片６１ｄ，６１ｄのスリット６１ｅ，６１ｅ，…を係合させ、上部分割パネル６３，６３’を支柱４，４に支持させる。この状態では、上部分割パネル６３の突設片６１ｃが下部分割パネル５３の第２折片５１ｃに当接するとともに、平坦片６１ｂが第１折片５１ｂ上に載置されることになる。加えて、接続装置７の背面当接部７８が、上部分割パネル６３の各裏当て材６２の裏面６２ａに当接する。
【００２７】
これによれば、上部分割パネル６３の各突設片６１ｃと下部分割パネル５３の各第２折片５１ｃとの重合により、上部分割パネル６３と下部分割パネル５３とが互いに離間する方向へ移動規制作用と、接続装置７の内面当接部７６と第２折片５１ｃの内面５１ｆとの当接に加え、接続装置７の背面当接部７８が、上部分割パネル６３の裏当て材６２の裏面６２ａに当接することにより、上下に隣接する上部分割パネル６３と下部分割パネル５３の相対移動を効果的に規制することができる。
【００２８】
図１に示されるように、下部分割パネル５３，５３’及び上部分割パネル６３，６３’の上下方向略中央部に取付けられたパネル止金具１０，１０には、中間連結材１１，１１が架設されており、下部分割パネル５３，５３’及び上部分割パネル６３，６３’の中央部が内側に凹むことを補助的に防止している。
【００２９】
また、前述したように、接続装置７，７’は、支持部７４が裏当て材５２の上端面に載置されることにより、下部分割パネル５３，５３’から落下しないように支持されるため、その後の組み立て作業を行い易い。
【００３０】
また、内面当接部７６及び背面当接部７８が一体に形成されていることから、内面当接部７６の当接作業と背面当接部７８の当接作業が一連の作業で行えることになり、少ない組み立て作業数で、上下に隣接する下部分割パネル５３及び上部分割パネル６３の相対移動を効果的に規制することができる。
【００３１】
また、下部分割パネル５３，５３’及び上部分割パネル６３，６３’は、背面部７１，７１’が連結された接続装置７，７’により、同一の離間幅を保つことができる。
【００３２】
また、接続装置７，７’は、それぞれ１枚の金属製の板材を折り曲げて形成されていることから、部品点数が減らして、製造コストを抑えることができる。
【００３３】
また、下部分割パネル５３，５３’は、間仕切装置１の組み立て時に支持部７４と傾斜部７５とで構成される略∨字状部の間に第２折片５１ｃが位置するように接続装置７を配置することにより、接続装置７の回動領域が小さくできるため、表面部材５１の第２折片５１ｃと裏当て材５２の上面５２ｂとの隙間５６ａの大きさに関わらず、第２折片５１ｃや裏当て材５２等に干渉させることなく容易に接続装置７を下部分割パネル５３に装着させることができる。
【００３４】
尚、上記実施例では、下部分割パネル５３と上部分割パネル６３同士の接続構造は、下部分割パネル５３と上部分割パネル６３を支柱４，４の表裏に各一枚ずつ配置し、接続装置７，７’を、前後一対の下部分割パネル５３，５３’及び上部分割パネル６３，６３’の間にその背面部７１，７１’同士を重ね合わせて取付ける態様で説明したが、これに限られず、例えば、図９に示されるように、下部分割パネル５３に接続装置７を取付けるとともに、その背面部７１を室内空間を形成する壁面Ｗに対して直接当接させ、連結ネジ９で固定するような態様で用いられてもよい。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、下部分割パネル５３及び上部分割パネル６３が、表面部材５１と裏当て材５２とから構成されていたが、これに限らず、例えば鋼鉄，木材，合成樹脂製等の１つの部材からなっていてもよい。また、接続装置７と下部分割パネル５３及び上部分割パネル６３を支柱４，４に対して上下反対に取付けても、上下に隣接する上部分割パネル６３と下部分割パネル５３の相対移動を規制する効果を奏することができる。
【００３７】
また、間仕切装置１は、支柱４，４の間に上下２段に設けられた下部分割パネル５３及び上部分割パネル６３について説明したが、これに限られず、上下に３段以上複数設けられていてもよい。この場合、上２段に位置する分割パネルは、上端縁に下部分割パネル５３及び上部分割パネル６３における上縁と同様の第１折片及び第２折片を備え、下端縁に上部分割パネル６３における下縁と同様の突設片を備えることで、上述した接続装置７によりそれぞれ上下に隣接する分割パネルとの接続が可能となる。
【００３８】
また、接続装置７は、表面部材５１の第２折片５１ｃと裏当て材５２との隙間５６ａから挿入されて下部分割パネル５３に取付けられているが、これに限られず、例えば、第２折片５１ｃにスリットを設け、接続装置７における内面当接部７６、支持部７４並びに傾斜部７５を前記スリットから挿入させるようにしてもよい。
【００３９】
また、間仕切装置１の組み立て手順は上述した順序にかぎらず、例えば、下部分割パネル５３と上部分割パネル６３とは、接続装置７により互いに接続した後に、同時に支柱４，４に支持させるようにしてもよい。
【符号の説明】
【００４０】
１                間仕切装置
４                支柱
４ａ              長孔
７，７’          接続装置
９                連結ネジ
５１              表面部材
５１ｂ            表面部材第１折片
５１ｃ            表面部材第２折片
５１ｄ            支持片
５１ｅ            スリット
５１ｆ            表面部材内面
５２              裏当て材
５２ａ            裏当て材裏面
５２ｂ            裏当て材上面
５３，５３’      下部分割パネル
５６              空間
５６ａ            隙間
６１              表面部材
６１ｃ            表面部材突設片
６１ｄ            表面部材支持片
６１ｅ            スリット
６２              裏当て材
６２ａ            裏当て材裏面
６３，６３’      上部分割パネル
７１              背面部
７４              支持部
７５              傾斜部
７６              内面当接部
７８              背面当接部
【図１】
2015086666.tif 000003
【図２】
2015086666.tif 000004
【図３】
2015086666.tif 000005
【図４】
2015086666.tif 000006
【図５】
2015086666.tif 000007
【図６】
2015086666.tif 000008
【図７】
2015086666.tif 000009
【図８】
2015086666.tif 000010
【図９】
2015086666.tif 000011